(57)【要約】【課題】造影剤注入条件との関係で、スキャン開始タイミングが適正なものとなっているか否かを一目で容易に確認することができる造影撮影装置を提供する。【解決手段】造影剤の注入を開始してからスキャンを開始するまでのタイミングが、造影剤注入条件に対応付けて設定され、設定されたスキャン開始タイミングで、造影剤が注入された部位についてスキャンを行って造影撮影を行うＸ線ＣＴ装置であって、造影剤の注入条件の時間変化を線図で示した造影剤注入表示１０とともに、スキャン開始タイミングを含むスキャン条件を線図で示したスキャン条件表示１１を表示する表示部を備えることを特徴とする。【選択図】図２
2009119111.tif 000002
【特許請求の範囲】
【請求項１】
造影剤の注入を開始してからスキャンを開始するまでのタイミングが、造影剤注入条件に対応付けて設定され、設定されたスキャン開始タイミングで、造影剤が注入された部位についてスキャンを行って造影撮影を行う造影撮影装置であって、
造影剤の注入条件の時間変化を線図で示した造影剤注入表示とともに、スキャン開始タイミングを含むスキャン条件を線図で示したスキャン条件表示を表示する表示部を備える
ことを特徴とする造影撮影装置。
【請求項２】
造影剤注入条件及び造影剤注入条件に対応付けて設定されるスキャン開始タイミングを含むスキャン条件が記憶された記憶部と、
該記憶部に記憶された造影剤注入条件とスキャン条件とを読み出して、これら造影剤注入条件及びスキャン条件を前記造影剤注入表示及び前記スキャン条件表示として前記表示部に表示させる表示制御部と、
を備えることを特徴とする請求項１に記載の造影撮影装置。
【請求項３】
造影剤を注入する造影剤インジェクタの制御部を備え、該インジェクタ制御部は、前記造影剤注入表示で示される注入条件で造影剤が注入されるように前記造影剤インジェクタを制御することを特徴とする請求項１又は２に記載の造影撮影装置。
【請求項４】
造影剤注入条件及びスキャン開始タイミングは、造影撮影の対象となる被検者の部位に応じて設定されることを特徴とする請求項１，２又は３に記載の造影撮影装置。
【請求項５】
前記造影剤注入表示は、造影剤の注入速度の時間変化を示すグラフである
ことを特徴とする請求項１，２，３又は４に記載の造影撮影装置。
【請求項６】
スキャン条件変更部を備えたことを特徴とする請求項１，２，３，４又は５に記載の造影撮影装置。
【請求項７】
前記造影撮影は、放射線撮影又は磁気共鳴撮影であることを特徴とする請求項１，２，３，４，５又は６に記載の造影撮影装置。
【請求項８】
請求項１，２，３，４，５，６又は７に記載の造影撮影装置と、造影剤を注入する造影剤インジェクタとを備えることを特徴とする造影撮影システム。
【発明の詳細な説明】
【技術分野】
【０００１】
本発明は、被検者に造影剤を注入して撮影する造影撮影装置及び造影撮影システムに関する。
【背景技術】
【０００２】
被検者の特定の部位や組織が強調された画像を得ることを目的として、被検者に造影剤を注入して撮影を行う造影撮影が行われている。例えば、造影撮影がＸ線撮影である場合、被検者へ造影剤を注入する造影剤インジェクタ（ｉｎｊｅｃｔｏｒ）によって造影剤を注入し、造影剤が注入された部位について、Ｘ線ＣＴ（ｃｏｍｐｕｔｅｄ  Ｔｏｍｏｇｒａｐｈｙ）装置でスキャン（ｓｃａｎ）を行っている（例えば、特許文献１参照）。
【特許文献１】特開２００２−１７７２５２号公報
【発明の開示】
【発明が解決しようとする課題】
【０００３】
造影撮影を行うＸ線ＣＴ装置においては、被検者に注入された造影剤が撮影部位に到達した状態でスキャンを行う。従って、前記Ｘ線ＣＴ装置におけるスキャン条件のうち、特に被検者に造影剤を注入してからスキャンを開始するまでタイミングについては、造影剤の注入速度、注入量、注入時間の長さなどの造影剤注入条件との関係で決まる。従来において、スキャン開始タイミングの決定は、造影剤注入条件に基づいて、操作者（撮影技師）が自らの経験などをたよりに行っている。しかし、特に近年においては、造影剤の注入速度を途中で変えたりするなど、造影剤の注入条件が複雑化していることから、スキャン開始タイミングを図ることが困難である。また、前記Ｘ線ＣＴ装置におけるスキャンが高速化している状況において、造影剤の注入量をできるだけ少なくする傾向にあることから、スキャン開始タイミングをより厳密に設定する必要があり、その設定の困難度が増している。従って、このような状況下において、造影剤注入条件との関係で、スキャン開始タイミングが適正なものとなっているか否かについて容易に確認できることが望まれている。
【０００４】
本発明の目的は、造影剤注入条件との関係で、スキャン開始タイミングが適正なものとなっているか否かを一目で容易に確認することができる造影撮影装置及び造影撮影システムを提供することにある。
【課題を解決するための手段】
【０００５】
この発明は、前記課題を解決するためになされたものであり、第１の観点の発明は、造影剤の注入を開始してからスキャンを開始するまでのタイミングが、造影剤注入条件に対応付けて設定され、設定されたスキャン開始タイミングで、造影剤が注入された部位についてスキャンを行って造影撮影を行う造影撮影装置であって、造影剤の注入条件の時間変化を線図で示した造影剤注入表示とともに、スキャン開始タイミングを含むスキャン条件を線図で示したスキャン条件表示を表示する表示部を備えることを特徴とする造影撮影装置である。
【０００６】
第２の観点の発明は、第１の観点の造影撮影装置において、造影剤注入条件及び造影剤注入条件に対応付けて設定されるスキャン開始タイミングを含むスキャン条件が記憶された記憶部と、該記憶部に記憶された造影剤注入条件とスキャン条件とを読み出して、これら造影剤注入条件及びスキャン条件を前記造影剤注入表示及び前記スキャン条件表示として前記表示部に表示させる表示制御部と、を備えることを特徴とする造影撮影装置である。
【０００７】
第３の観点の発明は、第１又は２の観点の造影撮影装置において、造影剤を注入する造影剤インジェクタの制御部を備え、該インジェクタ制御部は、前記造影剤注入表示で示される注入条件で造影剤が注入されるように前記造影剤インジェクタを制御することを特徴とする造影撮影装置である。
【０００８】
第４の観点の発明は、第１，２又は３の観点の造影剤撮影装置において、造影剤注入条件及びスキャン開始タイミングは、造影撮影の対象となる被検者の部位に応じて設定されることを特徴とする造影撮影装置である。
【０００９】
第５の観点の発明は、第１，２，３又は４の観点の造影撮影装置において、前記造影剤注入表示は、造影剤の注入速度の時間変化を示すグラフであることを特徴とする造影撮影装置である。
【００１０】
第６の観点の発明は、第１，２，３，４又は５の観点の造影撮影装置において、スキャン条件変更部を備えたことを特徴とする造影撮影装置である。
【００１１】
第７の観点の発明は、第１，２，３，４，５又は６の観点の造影撮影装置において、前記造影撮影は、放射線撮影又は磁気共鳴撮影であることを特徴とする造影撮影装置である。
【００１２】
第８の観点の発明は、第１，２，３，４，５，６又は７の観点の造影撮影装置と、造影剤を注入する造影剤インジェクタとを備えることを特徴とする造影撮影システムである。
【発明の効果】
【００１３】
第１，８の観点の発明によれば、前記造影剤注入表示とともにスキャン開始タイミングを含む前記スキャン条件表示が前記表示部に表示されるので、造影剤注入条件との関係でスキャン開始タイミングが適正なものになっているか否かを一目で視認することができ、これを容易に確認することができる。
【００１４】
第２の観点の発明によれば、前記表示制御部により、前記造影剤注入表示及び前記スキャン条件表示が前記表示部に表示され、これにより造影剤注入条件との関係でスキャン開始タイミングが適正なものになっているか否かを一目で視認することができる。
【００１５】
第３の観点の発明によれば、前記インジェクタ制御部を備えているので、造影撮影装置において前記造影剤インジェクタによる造影剤の注入を制御することができる。
【００１６】
第４の観点の発明によれば、造影剤撮影の対象となる被検者の部位に応じて設定された造影剤注入条件の表示とともに前記スキャン条件表示が前記表示部に表示され、設定された造影剤注入条件との関係で、スキャン開始タイミングが適正なものになっているかを一目で視認することができる。
【００１７】
第５の観点の発明によれば、造影剤の注入速度の時間変化を示すグラフとともに、前記スキャン条件表示が表示されるので、造影剤注入条件との関係でスキャン開始タイミングが適正なものになっているか否かを一目で視認することができ、これを容易に確認することができる。
【００１８】
第６の観点の発明によれば、造影剤注入条件との関係でスキャン開始タイミングが適正なものになっているか否かを確認した上で、適正となっていない場合には、前記スキャン条件変更部により、適正なスキャン開始タイミングになるようにスキャン条件を変更することができる。このとき、前記造影剤注入表示及び前記スキャン条件表示を見ながらスキャン開始タイミングを変更することができるので、適正なスキャンタイミングを容易に設定することができる。
【００１９】
第７の観点の発明によれば、造影剤注入条件との関係で放射線撮影又は磁気共鳴撮影のスキャン開始タイミングが適正なものになっているか否かを一目で視認することができ、これを容易に確認することができる。
【発明を実施するための最良の形態】
【００２０】
以下、本発明の実施形態について図面に基づいて詳細に説明する。以下の実施形態では、本発明の造影撮影装置をＸ線ＣＴ装置として説明し、また本発明の造影撮影システムをＸ線ＣＴシステムとして説明する。図１は、本発明の実施形態に係るＸ線ＣＴシステムの概略構成を示す図である。
【００２１】
図１に示すＸ線ＣＴシステム１は、Ｘ線ＣＴ装置２と造影剤インジェクタ３とを備えて構成されている。前記Ｘ線ＣＴ装置２は、空洞部４を挟んで対向配置されたＸ線管及びＸ線検出部（それぞれ図示省略）を有し、これらをＸ線放射させながら前記空洞部４の周りで回転させることによりＸ線投影データを収集するガントリ（ｇａｎｔｒｙ）５、被検者６を載置して前記空洞部４へ搬送するテーブル（ｔａｂｌｅ）７、システム全体を制御する操作コンソール（ｃｏｎｓｏｌｅ）８により構成されている。前記操作コンソール８と前記造影剤インジェクタ３、前記操作コンソール８と前記ガントリ５、前記操作コンソール８と前記テーブル７は、通信線９を介して接続されている。
【００２２】
前記操作コンソール８は、操作者の入力を受け付けるキーボード（ｋｅｙｂｏｒｄ）などの入力装置８１と、画像再構成処理などを行う中央処理装置８２と、この中央処理装置８２によって画像再構成された断層像を表示し、また後述する造影剤注入表示１０とスキャン条件表示１１とを表示する表示装置８３と、プログラム（ｐｒｏｇｒａｍ）やデータ（ｄａｔａ）やＸ線断層像を記憶する記憶装置８４とを備えている。
【００２３】
前記記憶装置８４には、造影剤注入条件及びスキャン条件が記憶されている。造影剤注入条件は、造影剤の注入総量、単位時間当たりの注入量、或いはこれらを決定するための条件である。従って、例えば注入速度も単位時間あたりの注入量を決定しうるから、これも造影剤注入条件に含まれる。本例では、造影剤注入条件として、時間によって変化する造影剤の注入速度が記憶されている。
【００２４】
また、スキャン条件としては、造影剤の注入を開始してからスキャンを開始するまでのタイミング（スキャン開始タイミング）、スキャン終了タイミング、スキャンピッチ、ヘリカル（ｈｅｌｉｃａｌ）・アキシャル（ａｘｉａｌ）の別などのスキャン方式等が記憶されている。
【００２５】
前記記憶装置８４に記憶された造影剤注入条件は、撮影部位ごとに、被検者６の体重に応じて設定されている。そして、スキャン開始タイミングは、それぞれの造影剤注入条件に応じて設定されている。
【００２６】
前記中央処理装置８２は、前記記憶装置８４に記憶された造影剤注入条件及びこれに対応するスキャン開始タイミングを有するスキャン条件を読み出して、図２に示す造影剤注入表示１０及びスキャン条件表示１１として前記表示装置８３に表示させる表示制御部８２１を有している。前記造影剤注入表示１０は、造影剤の注入条件の時間変化をグラフで示したものである。本例では、造影剤の注入条件は、造影剤の注入速度であり、前記造影剤注入表示１０は、造影剤の注入速度の時間変化をグラフで示したものとなっている。この造影剤注入表示１０では、造影剤の注入開始から時間ｔ１までは速度ｖ１で造影剤を注入するようになっている。そして、時間ｔ１からｔ２までは、速度ｖ１から速度ｖ２まで徐々に注入速度を遅くし、時間ｔ２から時間ｔ３までは速度ｖ２で造影剤を注入し、時間ｔ３で造影剤の注入を停止するようになっている。
【００２７】
また、本例では、前記スキャン条件表示１１は、アキシャルスキャンを行う場合のスキャンを行うタイミングを、凸部Ｓ１〜Ｓ５で表示した矩形波状の表示となっている。このスキャン条件表示１１では、凸部Ｓ１がスキャン開始タイミングとなっている。
【００２８】
さらに、前記中央処理装置８２は、スキャン条件変更部８２２，インジェクタ制御部８２３を備えている。前記スキャン条件変更部８２２は、前記造影剤注入表示１０及び前記スキャン条件表示１１を視認した操作者が、造影剤注入条件との関係でスキャン開始タイミングが適正ではないと判断した場合に、前記入力装置８１から適正なスキャン開始タイミングを入力すると、新たなスキャン条件を前記記憶装置８４に記憶するようになっている。
【００２９】
前記インジェクタ制御部８２３は、前記造影剤注入表示１０で示される注入条件で造影剤が注入されるように前記造影剤インジェクタ３を制御するようになっている。
【００３０】
前記表示装置８３には、前記造影剤注入表示１０及び前記スキャン条件表示１１の他に、例えば図３に示すように撮影部位（例えば腹部など）や被検者６の体重、造影剤の濃度、造影剤の注入総量などが表示されるようになっていてもよい。また、造影撮影においては、造影剤の注入開始から所定時間が経過すると、生理食塩水を注入するようになっているが、この生理食塩水の注入タイミング、注入速度及び注入する時間の長さなどの注入条件を示す線図が表示されるようになっていてもよい。
【００３１】
さて、前記Ｘ線ＣＴシステム１及び前記Ｘ線ＣＴ装置２の動作について説明する。先ず、操作者は、前記造影剤インジェクタ３による造影剤の注入及び前記Ｘ線ＣＴ装置によるスキャンを開始する前に、前記入力装置８１から撮影部位及び被検者６の体重を入力する。前記中央処理装置８２の表示制御部８２１は、撮影部位及び被検者６の体重の入力があると、これらに対応する造影剤注入条件を前記記憶装置８４から読み出すとともに、前記造影剤注入条件に対応するスキャン開始タイミングを有するスキャン条件を前記記憶装置８４から読み出す。そして、前記表示制御部８２１は、前記記憶装置８４から読み出した造影剤注入条件及び前記スキャン条件を、前記造影剤注入表示１０及び前記スキャン条件表示１１として前記表示装置８３に表示する。
【００３２】
このように、前記表示装置８３に、前記造影剤注入表示１０とともにスキャン開始タイミングを含む前記スキャン条件表示１１が表示されるので、造影剤注入条件との関係でスキャン開始タイミングが適正なものになっているか否かを一目で視認することができ、これを容易に確認することができる。
【００３３】
そして、操作者が前記表示装置８３の前記造影剤注入表示１０及び前記スキャン条件表示１１を視認して、造影剤注入条件との関係でスキャン開始タイミングが適正ではないと判断した場合には、操作者は前記入力装置８１を操作して、適正なスキャン開始タイミングを入力する。これにより、前記中央処理装置８２のスキャン条件変更部８２２は、入力されたスキャン開始タイミングになるように前記記憶装置８４に記憶されたスキャン条件を変更するとともに、前記スキャン条件表示１１の変更を行う。このとき、操作者は、前記造影剤注入表示１０及び前記スキャン条件表示１１を見ながらスキャン開始タイミングを変更することができるので、適正なスキャンタイミングを容易に設定することができる。
【００３４】
操作者は、前記表示装置８３においてスキャン開始タイミングを確認した後、またはスキャン開始タイミングの確認後にその設定変更を行った後、前記入力装置８１から造影撮影開始を指示する。これにより、前記中央処理装置８２のインジェクタ制御部８２３は、前記造影剤注入表示１０で示された造影剤注入条件で造影剤の注入が行われるように前記造影剤インジェクタ３を制御する。また、前記中央処理装置８２は、スキャン条件表示１１で示されたスキャン条件でスキャンが行われるように前記Ｘ線ＣＴ装置２を制御する。
【００３５】
次に、上記実施形態の変形例について説明する。図４は、実施形態の変形例における表示装置８３の表示の一例を示す図である。この変形例では、前記造影剤注入表示１０は、造影剤の積算注入量の時間変化をグラフで示したものとなっている。この造影剤注入表示１０では、造影剤の積算注入量が、時間ｔ１でｑ１となり、また時間ｔ２でｑ２となり、時間ｔ２以降は変化しないものとなっている。そして、この造影剤注入表示１０では、注入開始から時間ｔ１までのグラフの傾きよりも時間ｔ１から時間ｔ２までのグラフの傾きの方が小さくなっており、時間ｔ２以降は注入速度が遅くなっていることが分かる。
【００３６】
また、前記スキャン条件表示１１は、時間ｔ２で立ち上がり、時間ｔ３で下がるような線図となっており、ヘリカルスキャンを行う場合において、造影剤の注入開始から時間ｔ２でスキャンを開始し、時間ｔ３でスキャンを終了することを示す線図となっている。
【００３７】
さらに、この変形例では、前記スキャン条件表示１１の上に、撮影部位を示す撮影部位表示１２が表示されている。本例では、この撮影部位表示１２は人体を示す図形と破線とで構成され、破線で挟まれた腹部が撮影部位であることを示している。
【００３８】
以上説明したこの変形例のような前記造影剤注入表示１０及び前記スキャン条件表示１１が表示されることによっても、造影剤注入条件との関係でスキャン開始タイミングが適正なものになっているか否かを一目で視認することができ、これを容易に把握することができる。
【００３９】
また、この変形例によれば前記表示装置８３に、前記造影剤注入表示１０及び前記スキャン条件表示１１のほか、前記撮影部位表示１２が表示されるので、スキャン開始タイミングを撮影部位との関係で容易に視認することができる。
【００４０】
なお、前記造影剤インジェクタ３による造影剤の注入量を検出し、検出結果を前記Ｘ線ＣＴ装置２の操作コンソール８で把握するようにすることで、前記表示装置８３に造影剤の積算注入量の時間変化をリアルタイムでスキャン中に表示するようにしてもよい。これにより、造影剤の注入状況を確認することができる。
【００４１】
以上、本発明を前記各実施形態によって説明したが、この発明はこれらに限られるものではなく、本発明の主旨を変更しない範囲で種々変更実施可能なことはもちろんである。例えば、本発明は磁気共鳴撮影装置及び磁気共鳴撮影装置と造影剤インジェクタとを備えた磁気共鳴撮影システムにも適用することができる。
【図面の簡単な説明】
【００４２】
【図１】本発明の実施形態に係るＸ線ＣＴシステムの概略構成を示す図である。
【図２】表示装置における表示の一例を示す図である。
【図３】表示装置における表示の他例を示す図である。
【図４】実施形態の変形例において表示装置における表示の一例を示す図である。
【符号の説明】
【００４３】
１      Ｘ線ＣＴシステム（造影撮影システム）
２      Ｘ線ＣＴ装置（造影撮影装置）
３      造影剤インジェクタ
１０    造影剤注入表示
１１    スキャン条件表示
８３    表示装置（表示部）
８４    記憶装置（記憶部）
８２１  表示制御部
８２２  スキャン条件変更部
【図１】
2009119111.tif 000003
【図２】
2009119111.tif 000004
【図３】
2009119111.tif 000005
【図４】
2009119111.tif 000006